(57)【要約】【課題】軽量で持ち運びが容易で、操作をし易い水中観察装置を提供すること【解決手段】この発明の水中観察手段は、水中撮像手段１２と、前記水中撮像手段からの映像信号を受信し、表示する、水上映像表示手段１４と、前記水中撮像手段からの映像信号を水上映像表示手段に伝達するケーブル状伝達手段１６と、水上映像表示手段から伸ばすとともにその先端近傍から水中撮像手段を吊り下げるための、長尺状保持手段１８とを備え、水中撮像手段１２は、カメラ本体２２を有し、前記水上映像表示手段１４は、前記水中撮像手段１２のカメラ本体２２から伝達された映像信号を表示する表示器７０と、前記伝達手段１６を巻き取るための巻き取り手段７６とを有する。【選択図】図１
2010004836.tif 000002
【特許請求の範囲】
【請求項１】
水中に沈められて撮像する水中撮像手段と、
前記水中撮像手段からの映像信号を受信し、表示する、水上映像表示手段と、
前記水中撮像手段からの映像信号を水上映像表示手段に伝達するケーブル状伝達手段と、
水上映像表示手段を手前側において保持し、且つ、前記伝達手段を水上映像表示手段から伸ばすとともにその先端近傍から水中撮像手段を吊り下げるための、長尺状保持手段とを備え、
水中撮像手段は、
カメラ本体と、
カメラ本体を収容する水中撮像ボディ体と、
水中に沈下させ且つ姿勢を制御する姿勢制御体とを有し、
前記水上映像表示手段は、
前記水中撮像手段のカメラ本体から伝達された映像信号を表示する表示器と、
前記表示器を操作する表示操作部と、
前記表示器に電力を供給する電源部と、
前記伝達手段を巻き取るための巻き取り手段と、
前記表示器と表示操作部と電源部と巻き取り手段とを、一体的に長尺状保持手段に取り付けるための取り付け手段とを有し、
前記長尺状保持手段は、伝達手段を手元側に向けて且つ先端側に向けて移動させるための伝達手段移動補助手段を有する、水中観察手段。
【請求項２】
水上映像表示手段は、
伝達手段を巻き重ねるように形成された回転体を有する巻き取り手段と、
前記回転体を回転自在に長尺状保持手段に固定するための回転体支持手段と、
表示器と表示操作部とを固定され、前記巻き取り手段の回転体に対向するように前記回転体支持手段に連設された、表示手段本体とを備えた、請求項１に記載の水中観察手段。
【請求項３】
回転体支持手段は、円筒ないしは円柱状で、その一方端において取付金具が固定され、その他方端において、水上映像表示手段の表示手段本体を支持するように形成され、
前記取付金具は、長尺状保持手段に固定されるように形成された、請求項２に記載の水中観察手段。
【請求項４】
水上映像表示手段の巻き取り手段を構成する回転体は、中央が膨出した半球状皿型であり、
水上映像表示手段の表示手段本体は、前記回転体と対向する領域が略同一の外形を備え、
中央が膨出した面の間に伝達手段を巻き重ねるように形成された、請求項２又は３に記載の水中観察手段。
【請求項５】
水上映像表示手段は、
表示器と表示操作部とを固定する表示手段本体が、伝達手段巻き取り体と、前記伝達手段巻き取り体に固定され、表示器と表示操作部とを固定する表示器保持体とを備え、
前記表示器保持体の外周縁に沿って、伝達手段巻き取り体を固定されるように、形成され、伝達手段巻き取り体及び／又は表示器保持体に伝達手段巻き取り体を回転させるための回転ノブを形成された、請求項１ないし４のいずれかに記載の水中観察手段。
【発明の詳細な説明】
【技術分野】
【０００１】
この発明は、水中の状況を観察する観察手段に関し、特に、例えば釣りをする人が水中の魚の状況を観察するために用いる水中観察手段に関する。
【背景技術】
【０００２】
従来の技術における釣具や漁具を用いて、水中生物を採集する際には、水中の様子は、まったくわからない状況で、いわば、暗黒の世界に糸を垂れるように、従来からの勘や経験だけをたよりにして、採集場所を定め、魚等の水中生物が本当にいるかどうかもわからないまま、時間をかけて、魚が寄ってくるのを待つという形態で作業が行なわれていた。ここで、従来の魚群探知機の使用を考えたとしても、魚群の集団の有無を判定できるのみであって、個々の水中生物の個別の状況を把握することはできず、また、個別の釣具や漁具に関する水中での動作状況を把握することもできない。
このように、従来の釣具や漁具は、その釣具や漁具に対する水中生物の対応状況や、その釣具や漁具が設置された環境における、水中生物の動作状況が、把握できないまま、トライ・アンド・エラーを繰り返して、効率の悪い採集作業をしていくものであった。
そこで、このような問題点を解決するために、個別の釣具や漁具の水中での動作状況や、水中生物との対応状況を逐次把握しながら、漁等の水中生物の採集をする事ができる遠隔監視装置を提案されている。
【０００３】
【特許文献１】特許第２７３５３１３号
【発明の開示】
【発明が解決しようとする課題】
【０００４】
しかしながら、従来の装置は、比較的重量が嵩む大型な装置となり、操作するには不便であって、実現性に乏しいものであった。
それゆえに、この発明の主たる目的は、軽量で持ち運びが容易で、操作をし易い水中観察装置を提供することである。
【課題を解決するための手段】
【０００５】
上記の目的を達成するためのこの発明の水中観察装置は、水中に沈められて撮像する水中撮像手段と、前記水中撮像手段からの映像信号を受信し、表示する、水上映像表示手段と、前記水中撮像手段からの映像信号を水上映像表示手段に伝達するケーブル状伝達手段と、水上映像表示手段を手前側において保持し、且つ、前記伝達手段を水上映像表示手段から伸ばすとともにその先端近傍から水中撮像手段を吊り下げるための、長尺状保持手段とを備え、水中撮像手段は、カメラ本体と、カメラ本体を収容する水中撮像ボディ体と、水中に沈下させ且つ姿勢を制御する姿勢制御体とを有し、前記水上映像表示手段は、前記水中撮像手段のカメラ本体から伝達された映像信号を表示する表示器と、前記表示器を操作する表示操作部と、前記表示器に電力を供給する電源部と、前記伝達手段を巻き取るための巻き取り手段と、前記表示器と表示操作部と電源部と巻き取り手段とを、一体的に長尺状保持手段に取り付けるための取り付け手段とを有し、前記長尺状保持手段は、伝達手段を手元側に向けて且つ先端側に向けて移動させるための伝達手段移動補助手段を有する。
この発明の請求項２にかかる水中観察手段は、水上映像表示手段は、伝達手段を巻き重ねるように形成された回転体を有する巻き取り手段と、前記回転体を回転自在に長尺状保持手段に固定するための回転体支持手段と、表示器と表示操作部とを固定され、前記巻き取り手段の回転体に対向するように前記回転体支持手段に連設された、表示手段本体とを備えた、請求項１に記載の水中観察手段である。
この発明の請求項３にかかる水中観察手段は、回転体支持手段は、円筒ないしは円柱状で、その一方端において取付金具が固定され、その他方端において、水上映像表示手段の表示手段本体を支持するように形成され、前記取付金具は、長尺状保持手段に固定されるように形成された、請求項２に記載の水中観察手段である。
この発明の請求項４にかかる水中観察手段は、水上映像表示手段の巻き取り手段を構成する回転体は、中央が膨出した半球状皿型であり、水上映像表示手段の表示手段本体は、前記回転体と対向する領域が略同一の外形を備え、中央が膨出した面の間に伝達手段を巻き重ねるように形成された、請求項２又は３に記載の水中観察手段である。
この発明の請求項５にかかる水中観察手段は、水上映像表示手段は、表示器と表示操作部とを固定する表示手段本体が、伝達手段巻き取り体と、前記伝達手段巻き取り体に固定され、表示器と表示操作部とを固定する表示器保持体とを備え、前記表示器保持体の外周縁に沿って、伝達手段巻き取り体を固定されるように、形成され、伝達手段巻き取り体及び／又は表示器保持体に伝達手段巻き取り体を回転させるための回転ノブを形成された、請求項１ないし４のいずれかに記載の水中観察手段である。
【発明の効果】
【０００６】
この発明は、水中の状況をリアルタイムに逐次観察することにより、水中の状況を映す画像に基づいて、水中生物の採集を効率的に行えるようにすることができる。
請求項２の発明によれば、水上映像表示手段が、伝達手段を巻き重ねるように形成された回転体を有する巻き取り手段と、前記回転体を回転自在に長尺状保持手段に固定するための回転体支持手段と、表示器と表示操作部とを固定され、前記巻き取り手段の回転体に対向するように前記回転体支持手段に連設された、表示手段本体とを備えているので、水上映像表示手段の巻き取り手段を回転することにより、伝達手段を伸ばしたり、また巻き取ったりして、容易に、水中撮像手段を水中に沈めたり、水中から上げたりすることをできる。
請求講３の発明によれば、回転体支持手段は、円筒ないしは円柱状で、その一方端において取付金具が固定され、その他方端において、水上映像表示手段の表示手段本体を支持するように形成され、前記取付金具は、長尺状保持手段に固定されるように形成されているので、水上映像表示手段を長尺状保持手段に簡易に固定し、水中の観察を手っ取り早く行うことができる。
請求項４の発明によれば、水上映像表示手段の巻き取り手段を構成する回転体は、中央が膨出した半球状皿型であり、水上映像表示手段の表示手段本体は、前記回転体と対向する領域が略同一の外形を備え、中央が膨出した面の間に伝達手段を巻き重ねるように形成されているので、水上映像表示手段の巻き取り手段を回転することにより、伝達手段を伸ばしたり、また巻き取ったりして、容易に、水中撮像手段を水中に沈めたり、水中から上げたりすることをできる。
請求項５の発明によれば、水上映像表示手段は、表示器と表示操作部とを固定する表示手段本体が、伝達手段巻き取り体と、前記伝達手段巻き取り体に固定され、表示器と表示操作部とを固定する表示器保持体とを備え、前記表示器保持体の外周縁に沿って、伝達手段巻き取り体を固定されるように、形成され、伝達手段巻き取り体及び／又は表示器保持体に伝達手段巻き取り体を回転させるための回転ノブを形成されているので、水上映像表示手段の巻き取り手段を回転することにより、伝達手段を伸ばしたり、また巻き取ったりして、容易に、水中撮像手段を水中に沈めたり、水中から上げたりすることをできる。
【０００７】
この発明の上述の目的、その他の目的、特徴および利点は、図面を参照して行う以下の発明を実施するための最良の形態の説明から一層明らかとなろう。
【発明を実施するための最良の形態】
【０００８】
この発明にかかる水中観察手段１０は、水中に沈められて水中の状況を撮像する水中撮像手段１２と、水上において前記水中撮像手段１２からの映像信号を受信し、表示する、水上映像表示手段１４と、前記水中撮像手段１２からの映像信号を水上映像表示手段１４に伝達する例えば光ファイバを備えるケーブル状伝達手段１６と、水上映像表示手段１４を手前側において保持し、且つ、前記伝達手段１６を水上映像表示手段１４から伸ばすとともにその先端近傍から吊り下げるための、長尺状保持手段１８とを備える。
【０００９】
水中撮像手段１２は、図１６及び１７において示すように、カメラ本体２２と、照明部２４と、カメラ本体２２を収容する水中撮像ボディ体２６と、水中撮像手段１２を水中に沈下させ且つ姿勢を制御する姿勢制御体２８とを有する。
カメラ本体２２は、ＣＣＤ（チャージカップルドデバイス），ＣＭＯＳイメージセンサーなどの撮像素子を備え、撮像素子で撮像した画像信号を光通信用の伝送信号に変換する画像信号制御部と、画像信号制御部の伝送信号を光信号に変換する発光素子とを備える。
【００１０】
照明部２４は、カメラ本体２２による撮像領域を照明するためのものである。この照明部２４の存在により、暗い場所でもカメラ本体２２による撮像が可能になる。また、この照明部２４の明るさは、図５に示した操作部９０のキー入力により遠隔操作することができる。
【００１１】
水中撮像ボディ体２６は、図１６及び図１７において示すように、カバー胴体３０と、カバー前面体３２とを備える。
カバー胴体３０は、略円筒中空状で、その内部にカメラ本体２２を収容するように構成され、その後端には、伝達手段１６の端部を挿入し、カメラ本体２２に連結するように、伝達手段固定部３４が形成され、前端にはカバー前面体３２を固定するための螺子部３０ａとつば部３０ｂを形成されている。
伝達手段固定部３４は、カバー胴体３０の外周円の中心に突設された螺着凸部３６と、前記螺着凸部３６に螺着されるコードめくら栓３８と、Ｏリング４０ａとを備える。螺着凸部３６は、その中央に伝達手段１６を挿入するための貫通孔を備え、コードめくら栓３８は、その中央に伝達手段１６を挿入するための貫通孔を備えている。
そして、コードめくら栓３８は、伝達手段１６をその貫通孔に挿入した状態において、螺着凸部３６に螺着され、螺着凸部３６とコードめくら栓３８との間に介在したＯリング４０ａによって密着されて防水性を付与されている。
【００１２】
カバー前面体３２は、略円筒状でその前面に環状のつば状の押圧部３２ａを備え、該押圧部３２ａの内側に円形の透光部３２ｂを備える。カバー前面体３２の胴部の内面には、カバー胴体３０の前端外周面に形成された螺子部３０ａと螺合されるように、螺子部３２ｃを刻設されている。
【００１３】
カバー胴体３０は、伝達手段１６の先端周面に気密に固着され、カバー前面体３２の透光部３２ｂの中心部に、ＣＣＤ撮像素子の撮像面の中心を合わせて、カバー前面体３２を、円形のガラス又はアクリル等の透明プラスチックからなる透明板３３の前に配置し、Ｏリング４０ｂを介在させて固定する。
カバー胴体３０は、これらのＣＣＤ撮像素子、画像信号制御部、発光素子を覆って、カバー前面体３２と一体的に気密に固着する。このとき、伝達手段１６を固定するカバー前面体３２の透光部３２ｂの中心部は、伝達手段１６と同心軸となるように配置する。
カバー胴体３０とカバー前面体３２は、カメラ本体２２の防水カバーを形成するものであり、カバー前面体３２は、カバー胴体３０の前端に螺着され、その後端面は、カバー胴体３０の前部外周面に突設されたつば部３０ｂに密着固定される。
【００１４】
カバー胴体３０の下部分には、略円筒状オモリ固定用スリーブ４２をカバー胴体３０の前後方向にのびるように突設されており、姿勢制御体２８を構成する前後一対のオモリ４４ａ及び４４ｂの先端の突起に接着剤を付け、オモリ固定用スリーブ４２の前後よりオモリ４４ａ及び４４ｂを差し込み固定される。
姿勢制御体２８を構成するオモリ４４ａ及び４４ｂは、カバー胴体３０の下部だけにつけるのは、水中撮像ボディ体２６内部には空気があり、水中に水中撮像手段１２を投入して沈めたとき、カバー胴体３０の空洞内の空気の浮力により、カバー胴体３０の方が上部になり、カバー胴体３０が横向きに倒れないように構成されている。
【００１５】
カバー胴体３０は、その上部にカバー胴体３０の前後方向にのびるように略方形板状のラダー取付部４６が突設されている。ラダー取付部４６には、姿勢制御体２８を構成するラダー５０が固定されている。
ラダー５０は、薄板状の表側ラダー片５２ａと薄板状の裏側ラダー片５２ｂとを合わせて一体化されたものであり、後方にいくに従って細くなった翼型で、表側ラダー片５２ａと薄板状の裏側ラダー片５２ｂとが対向する対向面において伝達手段１６を嵌合する溝５４が刻設されている。
そして、伝達手段１６は、前記溝５４を通り、カバー胴体３０の伝達手段固定部３４に導かれるように構成され、表側ラダー片５２ａと裏側ラダー片５２ｂとを合わせ、溝５４内に充填した接着剤により、伝達手段１６を固定して、防水効果を高めるように構成されている。
表側ラダー片５２ａと裏側ラダー片５２ｂとは、略相似形であるが、裏側ラダー片５２ｂの上部後端には、ラダー取付部４６に固定するためのラダー連結部５２ｃが突設されており、裏側ラダー片５２ｂは、ラダー連結部５２ｃをラダー取付部４６の表面に接合して螺子で固定される。
又、表側ラダー片５２ａと裏側ラダー片５２ｂとは、下端後端には、コードめくら栓３８を覆うように、断面半円形状であり、コードめくら栓３８の外形に沿う凹部を備える、カバー部５２ｄ及びカバー部５２ｅを備える。
【００１６】
前記水上映像表示手段１４は、図２ないし１５において示すように、前記水中撮像手段１２のカメラ本体２２から伝達された映像信号を表示する表示器７０と、前記表示器７０を操作制御する表示操作制御部７２と、前記表示器７０に電力を供給する電源部７４と、前記伝達手段１６を巻き取るための巻き取り手段７６と、前記表示器７０と表示操作制御部７２と電源部７４と巻き取り手段７６とを一体的に長尺状保持手段１８に取り付けるための、取り付け手段７８とを有する。
【００１７】
水上映像表示手段１４の巻き取り手段７６は、伝達手段１６を巻き重ねるように形成された回転体８０を有する。
更に、水上映像表示手段１４は、表示器７０と表示操作制御部７２とを固定するための表示手段本体８２を備える。
【００１８】
回転体８０は、図１３において示すように、中央が膨出した半球状皿型であり、その中心に平面略円形状の挿入孔８０ａが穿設され、前記挿入孔８０ａの外周に略円筒状の伝達手段巻き重ね部８０ｂが上方に向けて突設されている。
伝達手段巻き重ね部８０ｂは、その上端に、外周縁に沿った円板状の座部８０ｃが、伝達手段巻き重ね部８０ｂの外周縁より内方に向けて突設されている。
座部８０ｃは、伝達手段巻き取り体８４の平面状領域の下面と接し合うように、その上面を平面に形成され、且つ、回転体８０を伝達手段巻き取り体８４に固定するためのボルト、ワッシャ等の固定具１３０を挿入する孔８０ｄが穿設され、その上面に伝達手段巻き取り体８４の凹部８４ｃに嵌挿されるための凸起８０ｅが突設されている。
更に、前記回転体８０は、回転自在に長尺状保持手段１８に固定するための取り付け手段７８を構成する回転体支持手段１００を挿入孔８０ａに貫挿して、回転体支持手段１００の周囲に回転自在に固定される。
【００１９】
巻き取り手段７６は、表示器７０と表示操作制御部７２とを固定された表示手段本体８２に形成されている。すなわち、表示手段本体８２は、前記巻き取り手段７６の回転体８０に対向するように、前記回転体支持手段１００に連設された、伝達手段巻き取り体８４を備える。
水上映像表示手段１４の巻き取り手段７６を構成する回転体８０は、中央が膨出した半球状皿型であり、水上映像表示手段１４の表示手段本体８２の伝達手段巻き取り体８４は、前記回転体８０と略同一の外形を備える半球状皿型であり、回転体８０と表示手段本体８２とは、外周縁から中央に向かうに従って膨出し、回転体８０と表示手段本体８２とが対向する内側面が平面状になっており、平面状の対向面の間に、伝達手段１６を巻き重ねるように形成されている。
【００２０】
表示手段本体８２は、前記巻き取り手段７６を構成する伝達手段巻き取り体８４と、前記伝達手段巻き取り体８４に固定され、表示器７０と表示操作制御部７２とを固定する表示器保持体８６とを備える。
伝達手段巻き取り体８４は、回転体支持手段１００が接する領域の近傍に、伝達手段１６を貫挿するための伝達手段貫挿孔８４ａが穿設されている。また、外周縁の内面には、表示器保持体８６を嵌合固定するための段差部８４ｂが凹設され、且つ、回転体支持手段１００が接する領域の近傍の外表面には、回転体８０の凸起８０ｅを嵌挿するための凹部８４ｃが凹設されている。
表示器保持体８６は、伝達手段巻き取り体８４の外周縁に沿った外周縁を備えた略円板状であり、パッキン８５を介在させて、ボルト・Ｏリング等の固定具１３２により、防水性を有するように伝達手段巻き取り体８４の段差部８４ｂに密着固定される。
而して、回転体８０と、伝達手段巻き取り体８４と、表示器保持体８６とは一体的に固定され、回転体支持手段１００に支持された回転体８０と伝達手段巻き取り体８４と表示器保持体８６は、取り付け手段７８を構成する（後述する）回転体支持手段１００の上面を中心にして、回転する。
伝達手段巻き取り体８４は、前記表示器保持体８６の外周縁に沿って固定されるように形成され、伝達手段巻き取り体８４及び／又は表示器保持体８６に伝達手段巻き取り体８４を回転させるための回転ノブ８８を形成されている。回転ノブ８８は、図８に示すように、表示器保持体８６の外周縁に突設されたノブ取り付け部８６ｂに、軸８８ａにより回転自在に取り付けられている。
【００２１】
表示器７０は、例えば、液晶表示装置（ＬＣＤ）から構成される。
表示器７０は、伝達手段１６と連結され、水中撮像手段１２のカメラ本体２２により撮像された映像を表示する。
また、この表示器７０は、ユーザによる画面の確認を容易にするために、図７及び８に示すように、フード９２を付設するように構成されている。フード９２は、全体が略截頭円錐状筒体で構成され、上部の開口部９２ａより表示器７０の画面を見ることができるように構成されている。
また、操作部９０は、図５において示すように、表示器７０内に装備され、電源スイッチを含む複数のキーを有している。この操作部９０により、後述する水中のカメラ本体２２の姿勢制御およびズーム制御、照明部２４の照度制御等の遠隔操作が入力される。
【００２２】
電源部７４は、表示手段本体８２を構成する、表示器保持体８６に凹設された電池装填部８６ａに電池を装填して電力を供給するように構成されている。電池装填部８６ａは、電源用蓋９４及びパッキン９５をもって被蓋されて防水される。
【００２３】
回転体支持手段１００は、円筒ないしは円柱状で、その一方端において取付金具１０２が固定され、その他方端において、水上映像表示手段１４の表示手段本体８２を支持するように形成され、前記取付金具１０２は、長尺状保持手段１８に固定されるように形成されている。
回転体支持手段１００は、取付金具１０２の上面に垂直に立ち上がるように、その下面において固定具１３４により取付金具１０２に固定され、回転体８０の挿入孔８０ａに貫挿されて、その上面において伝達手段巻き取り体８４の下面と接し合うように形成されている。
回転体支持手段１００の円筒状の胴部の外周面には、その長手方向にのびる断面半円形状の凸条１００ａが適宜な間隔をあけて複数条突設されている。また、回転体支持手段１００の円胴状の胴部の上端縁には、胴部の上縁に沿って円環状に断面半円形状の凸条１００ｂが突設されている。
而して、回転体支持手段１００は、回転体８０の挿入孔８０ａに貫挿されて、回転体８０を円滑に回転させることができ、且つ伝達手段巻き取り体８４の下面に接して、伝達手段巻き取り体８４を円滑に回転させることができる。
【００２４】
長尺状保持手段１８は、ガイド竿１１０と、該ガイド竿１１０に付設された伝達手段ガイド１１２とを備える。
ガイド竿１１０は、図２において示すように、手元側の把持部１１０ａの近傍に、取付金具１０２の外周縁に突設された凸部７２ａを差し込み固定するための凹部１１０ｂを備える。
伝達手段ガイド１１２は、伝達手段を手元側に向けて且つ先端側に向けて移動させるための伝達手段移動補助手段を構成し、ケーブル状伝達手段１６を挿通するための環状部を備える。
而して、水上映像表示手段１４は、取付金具１０２を凹部１１０ｂに差し込み固定することにより、長尺状保持手段１８に固定される。
【００２５】
このように構成した本実施例を水中の魚類等を採集するために用いる道具として動作させるには、以下のような手順で行う。
（１）操作者が長尺状保持手段１８の端を持って支えながら、長尺状保持手段１８の先端から水中撮像手段１２を接続した伝達手段１６を水中に投下する。
（２）水中撮像手段１２の先につけた、オモリ４４ａ及び４４ｂの作用により、伝達手段１６は長尺状保持手段１８の先から、ほぼ水面に垂直に水中へのびる。
（３）伝達手段１６に接続された水中撮像手段１２により、水中の様子が撮像され、その情報が、伝達手段１６を介して、操作者の手元にある水上映像表示手段１４の表示器７０へ伝えられる。
（４）操作者は、水上映像表示手段１４の表示器７０に表示された水中撮像手段１２で撮像された映像を観察して、その付近の水中に魚類がいるかどうかを判断する。
（５）水中撮像手段１２で撮像した水中の様子から、その場所には魚類がいないことがわかった場合、採集場所を変更する。
このようにして、本実施例は、水中の魚類の様子を映像として見ながら、魚に対する誘い操作をする事ができるため、より効果的に、魚類等を採集することができる。
【図面の簡単な説明】
【００２６】
【図１】この発明にかかる水中観察手段の概略構成を示す全体構成図である。
【図２】図１に示した水中観察手段の水上映像表示手段の要部の正断面図解図である。
【図３】図１に示した水中観察手段の水上映像表示手段の要部の底面図解図である。
【図４】図１に示した水中観察手段の水上映像表示手段の要部の正面図解図である。
【図５】図１に示した水中観察手段の水上映像表示手段の要部の斜視図解図である。
【図６】図１に示した水中観察手段の水上映像表示手段の要部の斜視図解図である。
【図７】図１に示した水中観察手段の水上映像表示手段の要部の斜視図である。
【図８】図１に示した水中観察手段における水上映像表示手段の分解斜視図解図である。
【図９】図１に示した水中観察手段における水上映像表示手段の分解斜視図解図である。
【図１０】図１に示した水中観察手段の伝達手段巻き取り体を示す図であり、（Ａ）は底面図解図であり、（Ｂ）は断面図解図である。
【図１１】図１に示した水中観察手段の回転体指示手段を示す図であり、（Ａ）は平面図解図であり、（Ｂ）は正面図解図であり、（Ｃ）は断面図解図である。
【図１２】図１に示した水中観察手段における水上映像表示手段の分解斜視図解図である。
【図１３】図１に示した水中観察手段における水上映像表示手段の分解斜視図解図である。
【図１４】図１に示した水中観察手段における水上映像表示手段の分解斜視図解図である。
【図１５】図１に示した水中観察手段における水上映像表示手段の分解斜視図解図である。
【図１６】図１に示した水中観察手段における水中撮像手段を示す要部拡大断面図解図である。
【図１７】図１に示した水中観察手段における水中撮像手段の分解斜視図解図である。
【符号の説明】
【００２７】
１０  水中観察手段
１２  水中撮像手段
１４  水上映像表示手段
１６  伝達手段
１８  長尺状保持手段
２２  カメラ本体
２４  照明部
２６  水中撮像ボディ体
２８  姿勢制御体
３０  カバー胴体
３０ａ，３２ｃ  螺子部
３０ｂ  つば部
３２  カバー前面体
３２ａ  押圧部
３２ｂ  透光部
３３  透明板
３４  伝達手段固定部
３６  螺着凸部
３８  コードめくら栓
４０ａ，４０ｂ  Ｏリング
４２  オモリ固定用スリーブ
４４ａ，４４ｂ  オモリ
４６  ラダー取付部
５０  ラダー
５２ａ  表側ラダー片
５２ｂ  裏側ラダー片
５２ｃ  ラダー連結部
５２ｄ，５２ｅ  カバー部
５４  溝
７０  表示器
７２  表示操作制御部
７２ａ  凸部
７４  電源部
７６  巻き取り手段
７８  取り付け手段
８０  回転体
８０ａ  挿入孔
８０ｂ  伝達手段巻き重ね部
８０ｃ  座部
８０ｄ  孔
８０ｅ  凸起
８２  表示手段本体
８４  伝達手段巻き取り体
８４ａ  伝達手段貫挿孔
８４ｂ  段差部
８４ｃ  凹部
８５  パッキン
８６  表示器保持体
８６ａ  電池装填部
８６ｂ  ノブ取り付け部
８８  回転ノブ
８８ａ  軸
９０  操作部
９２  フード
９２ａ  開口部
９４  電源用蓋
９５  パッキン
１００  回転体支持手段
１００ａ，１００ｂ  凸条
１０２  取付金具
１１０  ガイド竿
１１０ａ  把持部
１１０ｂ  凹部
１１２  伝達手段ガイド
１３０，１３２，１３４  固定具
【図１】
2010004836.tif 000003
【図２】
2010004836.tif 000004
【図３】
2010004836.tif 000005
【図４】
2010004836.tif 000006
【図５】
2010004836.tif 000007
【図６】
2010004836.tif 000008
【図７】
2010004836.tif 000009
【図８】
2010004836.tif 000010
【図９】
2010004836.tif 000011
【図１０】
2010004836.tif 000012
【図１１】
2010004836.tif 000013
【図１２】
2010004836.tif 000014
【図１３】
2010004836.tif 000015
【図１４】
2010004836.tif 000016
【図１５】
2010004836.tif 000017
【図１６】
2010004836.tif 000018
【図１７】
2010004836.tif 000019